(57)【要約】【課題】調理の作業効率を悪化させることなく、ごみを捨てることができるごみ収容装置を提供する。【解決手段】ごみ収容装置４は、例えばビルトインタイプの装置である。ごみ収容装置４は、天板６、蓋８及び収容器９を備える。天板６は、シンク２に隣接する。天板６に、投入口７が形成される。蓋８は、投入口７を開閉する。収容器９は、投入口７から投入されたごみを収容する。また、天板６は、シンク２の底面より高い位置に配置される。【選択図】図３
2017081691.tif 000002
【特許請求の範囲】
【請求項１】
投入口が形成され、シンクに隣接する天板と、
前記投入口を開閉する蓋と、
前記投入口から投入されたごみを収容する収容器と、
を備え、
前記天板は、上面が前記シンクの底面より高い位置に配置されたごみ収容装置。
【請求項２】
前記蓋は、前記投入口を開放する位置に配置されると、一部が前記シンクの底面の真上に配置される請求項１に記載のごみ収容装置。
【請求項３】
前記蓋は、前記投入口を閉塞する位置に配置されると、上面が前記天板の上面と同じ高さに配置される請求項１又は請求項２に記載のごみ収容装置。
【請求項４】
前記蓋は、上面に平行な方向に沿って移動することにより、前記投入口を開閉する請求項１から請求項３の何れか一項に記載のごみ収容装置。
【請求項５】
前記投入口は、前記収容器の真上に形成された請求項１から請求項４の何れか一項に記載のごみ収容装置。
【請求項６】
前記投入口から投入されたごみを前記収容器に誘導する誘導部を更に備え、
前記投入口は、前記収容器の真上に形成されていない
請求項１から請求項４の何れか一項に記載のごみ収容装置。
【請求項７】
収納部を更に備え、
前記投入口は、前記収納部の真上に形成された
請求項６に記載のごみ収容装置。
【請求項８】
前記収容器に収容されたごみの量を検知する検知器と、
前記検知器が検知した結果を報知器から報知させる制御装置と、
を更に備えた請求項１から請求項４の何れか一項に記載のごみ収容装置。
【請求項９】
前記投入口から投入されたごみを前記収容器に誘導する誘導部と、
前記誘導部を洗浄する洗浄装置と、
を更に備えた請求項１から請求項４の何れか一項に記載のごみ収容装置。
【請求項１０】
前記投入口から投入されたごみを前記収容器に誘導する誘導部を更に備え、
ごみを前記収容器に誘導する前記誘導部の誘導面に防汚加工が施された
請求項１から請求項４の何れか一項に記載のごみ収容装置。
【請求項１１】
前記収容器内の空気を排気口に導く排気風路が形成され、
前記排気風路に、臭気を除去する脱臭部が設けられた
請求項１から請求項１０の何れか一項に記載のごみ収容装置。
【請求項１２】
前記収容器は、前記シンクを備える流し台の内部に配置され、
前記流し台の正面側の側壁以外の側壁に、前記収容器を前記流し台の外に取り出すための取出口が形成された
請求項１から請求項１１の何れか一項に記載のごみ収容装置。
【請求項１３】
前記収容器は、袋を支持するための支持部を備えた請求項１から請求項１２の何れか一項に記載のごみ収容装置。
【発明の詳細な説明】
【技術分野】
【０００１】
この発明は、ごみを収容するための装置に関する。
【背景技術】
【０００２】
特許文献１に、キッチンのシンクに取り付けられる装置が記載されている。特許文献１に記載の装置が備えられたキッチンでは、調理する人は、ごみをシンクの排水口に流す。シンクの排水口には様々なごみが流されるため、例えば、生ごみを処理するための装置が備えられていると、この処理装置に食器の破片等が混入する恐れがあった。
【０００３】
特許文献２に、生ごみを乾燥させるための処理装置が記載されている。特許文献２に記載の処理装置が備えられたキッチンでは、調理する人は、収容器を引き出した後に蓋を空けて生ごみを捨てる。特許文献２に記載された処理装置であれば、収容器に食器の破片等が混入することを防止できる。
【先行技術文献】
【特許文献】
【０００４】
【特許文献１】特開平８−１６５６９３号公報
【特許文献２】特開２００４−５７８６４号公報
【発明の概要】
【発明が解決しようとする課題】
【０００５】
特許文献２に記載された処理装置では、ごみを捨てるために、収容器を引き出し、その後に蓋を空けなければならない。調理中は何度もごみを捨てる動作が必要になることが多く、調理の作業効率が悪化するといった問題があった。
【０００６】
この発明は、上述のような課題を解決するためになされた。この発明の目的は、調理の作業効率を悪化させることなく、ごみを捨てることができるごみ収容装置を提供することである。
【課題を解決するための手段】
【０００７】
この発明に係るごみ収容装置は、投入口が形成され、シンクに隣接する天板と、投入口を開閉する蓋と、投入口から投入されたごみを収容する収容器と、を備える。天板は、シンクの底面より高い位置に配置される。
【発明の効果】
【０００８】
この発明に係るごみ収容装置は、シンクに隣接する天板に投入口が形成される。天板は、シンクの底面より高い位置に配置される。また、投入口を開閉する蓋が備えられる。このため、調理の作業効率を悪化させることなく、ごみを捨てることができる。
【図面の簡単な説明】
【０００９】
【図１】この発明の実施の形態１におけるごみ収容装置を備えた流し台を示す平面図である。
【図２】図１のＡ−Ａ断面を示す図である。
【図３】図１のＢ−Ｂ断面を示す図である。
【図４】投入口を開放する位置に蓋が配置されている状態の流し台を示す平面図である。
【図５】図４のＤ−Ｄ断面を示す図である。
【図６】収容器の断面を示す図である。
【図７】ごみ収容装置に備えられた機器の電気的な接続を示す図である。
【図８】収容器の他の構成例を示す平面図である。
【図９】図８のＥ−Ｅ断面を示す図である。
【図１０】この発明の実施の形態２におけるごみ収容装置を備えた流し台を示す断面図である。
【発明を実施するための形態】
【００１０】
添付の図面を参照し、本発明を説明する。重複する説明は、適宜簡略化或いは省略する。各図において、同一の符号は同一の部分又は相当する部分を示す。
【００１１】
実施の形態１．
図１は、この発明の実施の形態１におけるごみ収容装置を備えた流し台を示す平面図である。図２は、図１のＡ−Ａ断面を示す図である。図３は、図１のＢ−Ｂ断面を示す図である。流し台１は、例えばキッチンに設けられる。流し台１は、例えばシンク２、蛇口３及びごみ収容装置４を備える。本実施の形態で示すごみ収容装置４は、ビルトインタイプの装置である。
【００１２】
以下の説明においては、キッチンで調理する人を基準に、正面側、側面側及び背面側という。キッチンで調理する人は、例えば、矢印Ｃに示す位置に立ち、シンク２の方を向く。本実施の形態で示す例でいえば、側壁５ａは、流し台１の正面側の側壁である。側壁５ｂは、流し台１の側面側の側壁である。側壁５ｃは、流し台１の背面側の側壁である。なお、側壁５ａの一部は、ごみ収容装置４の正面側の側壁を兼ねる。側壁５ｂは、ごみ収容装置４の側面側の側壁を兼ねる。側壁５ｃの一部は、ごみ収容装置４の背面側の側壁を兼ねる。
【００１３】
ごみ収容装置４は、例えば天板６、蓋８、収容器９、重量センサ１５、制御装置１６、表示器１７、洗浄装置１８、脱臭フィルタ２４、開閉センサ２７及び乾燥装置２８を備える。天板６に、ごみを投入するための投入口７が形成される。天板６は、シンク２に隣接する。本実施の形態で示す天板６は、流し台１の天板の一部を兼ねる。キッチンで調理する人は、調理中に天板６の上面を利用しても良い。天板６の上面は、例えば平坦である。天板６は、上面がシンク２の底面２ａより高い位置に配置される。
【００１４】
蓋８は、投入口７を開閉する。蓋８は、例えば天板６に支持される。蓋８は、例えば上面が平坦に形成される。図１は、投入口７を閉塞する位置に蓋８が配置されている状態を示す。以下においては、投入口７を閉塞する位置のことを「閉塞位置」ともいう。図４は、投入口７を開放する位置に蓋８が配置されている状態の流し台１を示す平面図である。図５は、図４のＤ−Ｄ断面を示す図である。以下においては、投入口７を開放する位置のことを「開放位置」ともいう。
【００１５】
本実施の形態で示す蓋８は、スライド式の開閉機構（図示せず）を備える。即ち、蓋８は、上面に平行な方向に沿って移動することにより、投入口７を開閉する。蓋８は、閉塞位置に配置されると、上面が天板６の上面と同じ高さに配置される。このため、キッチンで調理する人は、調理中に蓋８の上面を利用することができる。ここでいう「同じ高さ」とは、厳密に同じ高さでなくても良い。例えば、蓋８の上面の高さと天板６の上面の高さとの差が据付誤差等の範囲内であれば、蓋８の上面と天板６の上面とは同じ高さである。
【００１６】
蓋８は、開放位置に配置されると、一部がシンク２の底面２ａの真上に配置される。このため、キッチンで調理する人は、蓋８を開放位置に配置した状態でも蓋８の上面を利用して調理を行うことができる。蓋８は、閉塞位置からシンク２側にスライドする。このため、蓋８を開けた際に天板６の上に載せられた調理器具或いは食品に蓋８が接触することはない。蓋８を開けるために天板６に載せられた物を片付ける必要がなく、使い勝手が良い。本実施の形態では、蓋８が開放位置に配置されると、蓋８の一部のみが底面２ａの真上に配置される例を示す。蓋８は、開放位置に配置された際に、全体が底面２ａの真上に配置されても良い。
【００１７】
収容器９は、投入口７から投入されたごみを収容するための容器である。本実施の形態で示す例では、投入口７は、収容器９の真上に形成される。投入口７と収容器９との間に距離があるため、本実施の形態で示すごみ収容装置４は誘導部１０を備える。誘導部１０は、投入口７から投入されたごみを収容器９に誘導する。誘導部１０は、例えば、上下に開口する筒状の部材からなる。本実施の形態で示す例では、側壁５ｂの一部が誘導部１０の一部を兼ねる。投入口７から投入されたごみは、誘導部１０を通過する。誘導部１０がなくてもごみが常に収容器９に収容されるのであれば、ごみ収容装置４に誘導部１０を備える必要はない。
【００１８】
図６は、収容器９の断面を示す図である。収容器９は、例えば容器本体１１、支持部１２及び取っ手１３を備える。支持部１２は、例えば容器本体１１に設けられる。支持部１２は、袋１４を支持する。袋１４を容器本体１１の内側に配置することにより、投入口７から投入されたごみを袋１４の中に集めることができる。
【００１９】
取っ手１３は、例えば容器本体１１に設けられる。収容器９は、流し台１の内部に配置される。収容器９に収容されたごみを捨てる時、収容器９は、流し台１の外に取り出される。取っ手１３は、収容器９を流し台１の外に取り出す際に持つ部分である。本実施の形態では、収容器９を流し台１の外に取り出すための取出口５ｄが側壁５ｂに形成される例を示す。取出口５ｄは、側壁５ｃ或いは側壁５ａに形成されても良い。但し、取出口５ｄを側壁５ａ以外の側壁に形成すれば、キッチンで調理する人に邪魔にならずに収容器９の取り出しを行うことができる。
【００２０】
重量センサ１５は、収容器９に収容されたごみの量を検知する。重量センサ１５は、例えば収容器９の下に設けられる。重量センサ１５は、収容器９に収容されたごみの量を検知する検知器の一例である。検知器として重量センサ１５以外のセンサを使用しても良い。例えば、検知器として、発光部及び受光部を有する光学センサを利用しても良い。かかる場合、光学センサは収容器９の上方に配置される。
【００２１】
重量センサ１５は、制御装置１６に電気的に接続される。図７は、ごみ収容装置４に備えられた機器の電気的な接続を示す図である。重量センサ１５は、検知したごみの量の情報を制御装置１６に送信する。例えば、重量センサ１５は、ごみの量の情報を制御装置１６に定期的に送信する。制御装置１６は、例えば、重量センサ１５が検知したごみの量に基づいてごみの収容率を算出する。
【００２２】
表示器１７は、流し台１の正面側にいる人に情報を報知する。表示器１７は、例えば、側壁５ａの上部に設けられる。表示器１７は、情報を報知する報知器の一例である。報知器として、表示器１７以外の装置を備えても良い。
【００２３】
表示器１７は、制御装置１６に電気的に接続される。制御装置１６は、例えば、重量センサ１５が検知した結果を表示器１７に表示させる。例えば、制御装置１６は、算出した収容率を重量センサ１５が検知した結果として表示器１７に表示させる。制御装置１６は、算出した収容率が閾値を超えた場合のみ、ごみ捨てを促すためのサインを表示器１７に表示させても良い。
【００２４】
洗浄装置１８は、誘導部１０を洗浄する。誘導部１０の洗浄とともに、洗浄装置１８によって誘導部１０を通過するごみの洗浄を行っても良い。洗浄装置１８は、例えば給水管１９、洗剤タンク２０、噴付装置２１及びごみ投入センサ２２を備える。給水管１９は、水道管２３に接続される。給水管１９には水道管２３から水が供給される。洗剤タンク２０に洗剤が入れられる。噴付装置２１は、給水管１９から供給される水と洗剤タンク２０に入っている洗剤とを混合させて、誘導部１０に噴き付ける。例えば、誘導部１０の内側の壁面に、噴付装置２１からの水及び洗剤が噴き付けられる。噴付装置２１は、誘導部１０に設けられる。噴付装置２１は、制御装置１６に電気的に接続される。
【００２５】
ごみ投入センサ２２は、投入口７からごみが投入されたことを検知する。ごみ投入センサ２２がごみの投入を検知する方法は如何なる方法であっても良い。ごみ投入センサ２２として、光学センサを利用しても良い。ごみ投入センサ２２は、誘導部１０に設けられる。ごみ投入センサ２２は、例えば、噴付装置２１より投入口７に近い位置に配置される。本実施の形態に示す例では、ごみ投入センサ２２は、噴付装置２１より高い位置に配置される。
【００２６】
ごみ投入センサ２２は、制御装置１６に電気的に接続される。ごみ投入センサ２２は、投入口７からごみが投入されたことを検知すると、ごみの投入を検知した旨の情報を制御装置１６に送信する。制御装置１６は、噴付装置２１を制御する。制御装置１６は、例えば、投入口７からごみが投入されたことがごみ投入センサ２２によって検知されると、噴付装置２１に水及び洗剤の噴き付けを行わせる。制御装置１６は、噴付装置２１による水及び洗剤の噴き付けを定期的に行っても良い。かかる場合、洗浄装置１８は、ごみ投入センサ２２を備えていなくても良い。
【００２７】
脱臭フィルタ２４は、臭気を除去する。脱臭フィルタ２４は、臭気を除去する脱臭部の一例である。ごみ収容装置４には、排気口２５が形成される。排気口２５は、ごみ収容装置４内の空気をごみ収容装置４の外に排出するための開口である。本実施の形態に示す例では、排気口２５は側壁５ｃに形成される。
【００２８】
ごみ収容装置４に、排気風路２６が形成される。排気口２５は、排気風路２６を介して誘導部１０の内部の空間に通じる。誘導部１０の内部の空気は、排気風路２６によって排気口２５に導かれる。また、誘導部１０の内部の空間は、収容器９のごみを溜める空間に通じる。したがって、収容器９の内部の空気も、排気風路２６によって排気口２５に導かれる。脱臭フィルタ２４は、例えば排気風路２６に設けられる。収容器９の内部の空気及び誘導部１０の内部の空気は、排気口２５からごみ収容装置４の外に排出される前に排気風路２６で脱臭フィルタ２４を通過する。脱臭フィルタ２４は、通過する空気に含まれる臭気を除去する。なお、脱臭フィルタ２４は、通過する空気に含まれる臭気を完全に除去できなくても良い。排気口２５からの風路がキッチンの外に通じていれば、ごみ収容装置４内の空気を臭気を除去した上でキッチンの外に排出することができる。
【００２９】
開閉センサ２７は、蓋８が開いていること或いは蓋８が閉じていることを検知する。開閉センサ２７は、制御装置１６に電気的に接続される。開閉センサ２７の検知方法は如何なる方法であっても良い。開閉センサ２７は、例えば天板６に設けられる。制御装置１６は、開閉センサ２７が検知した結果に基づいて、蓋８の開閉を判定する。
【００３０】
乾燥装置２８は、投入口７から投入されたごみを乾燥させる。本実施の形態に示す例では、乾燥装置２８は、誘導部１０を通過するごみを乾燥させる機能と収容器９に収容されたごみを乾燥させる機能とを備える。乾燥装置２８は、例えばヒータ２９、送風機３０、ダンパ３３及びダンパ３４を備える。
【００３１】
ヒータ２９は、周囲の空気を温めるための熱を発生する。ヒータ２９は、制御装置１６に電気的に接続される。ヒータ２９は、制御装置１６によって制御される。
【００３２】
送風機３０は、気流を発生させる。送風機３０は、制御装置１６に電気的に接続される。送風機３０は、制御装置１６によって制御される。
【００３３】
乾燥装置２８には、風路３１と風路３２とが形成される。風路３１は、ヒータ２９及び送風機３０が配置された空間から誘導部１０の内部の空間に通じる。風路３２は、ヒータ２９及び送風機３０が配置された空間から収容器９の内部の空間に通じる。
【００３４】
ダンパ３３は、風路３１を開閉する。ダンパ３４は、風路３２を開閉する。ダンパ３３及び３４は、制御装置１６に電気的に接続される。ダンパ３３の開閉、即ち風路３１の開閉は、制御装置１６によって制御される。ダンパ３４の開閉、即ち風路３２の開閉は、制御装置１６によって制御される。
【００３５】
ダンパ３３が開いていれば、ヒータ２９によって温められた空気は、送風機３０が動作することによって風路３１に進入する。風路３１を通過した空気は、吹出口３１ａから誘導部１０の内部の空間に吹き出される。ダンパ３３が閉じていれば、吹出口３１ａから温風は出ない。また、ダンパ３４が開いていれば、ヒータ２９によって温められた空気は、送風機３０が動作することによって風路３２に進入する。風路３２を通過した空気は、吹出口３２ａから収容器９の内部の空間に吹き出される。ダンパ３４が閉じていれば、吹出口３２ａから温風は出ない。
【００３６】
例えば、制御装置１６は、蓋８が開いていることを判定すると、吹出口３１ａから温風を吹き出させる。これにより、誘導部１０を通過するごみを乾燥させることができる。制御装置１６は、算出した収容率が閾値を超えると、吹出口３２ａから温風を吹き出させる。これにより、収容器９に収容されたごみを乾燥させることができる。制御装置１６によるダンパ３３及び３４の開閉制御は、上記例に限定されない。なお、ヒータ２９を動作させずに送風機３０を動作させれば、ごみ収容装置４内で空気を循環させる送風装置として乾燥装置２８を利用できる。
【００３７】
本実施の形態のごみ収容装置４では、シンク２に隣接する天板６に投入口７が形成される。天板６の上面は、シンク２の底面２ａより高い位置に配置される。また、天板６には投入口７を開閉する蓋８が設けられる。このため、食器の破片等のごみが収容器９に入り込むことを防止できる。投入口７が天板６に形成されているため、食品の切りくず等のごみを簡単に捨てることができる。ごみを捨てるために収容器９を引き出す必要がなく、調理の作業を効率的に行うことができる。
【００３８】
蓋８はスライド式であるため、蓋８を開けても蓋８は天板６の上面から突出しない。ごみを捨てる際に手等が蓋８に当たることを防止でき、利便性に優れる。手等が蓋８に当たって蓋８が壊れることも防止できる。
【００３９】
蓋８は、閉塞位置に配置されると、上面が天板６の上面と同じ高さに配置される。このため、蓋８の上面を利用して調理を行うことができる。
【００４０】
蓋８を開ける時、蓋８はシンク２側にスライドする。蓋８が開放位置に配置されると、蓋８の一部或いは全部がシンク２の底面２ａの真上に配置される。このため、蓋８を開けた状態でも、天板６上の調理スペースが狭くなることはない。また、蓋８を開けた状態でも、蓋８の上で調理を行うことができる。例えば、野菜或いは果物等の食材をシンク２で洗った後、皮むき等の下ごしらえを蓋８の上で行うことができる。蓋８の上で調理を行えば、投入口７にごみを直ぐに捨てることができる。また、蓋８の上のみで調理を行えば、天板６の上面を汚すことなく調理を行うことができる。
【００４１】
本実施の形態のごみ収容装置４では、重量センサ１５によって検知された結果が表示器１７に表示される。このため、表示器１７を見た人は、収容器９を取り出すことなくごみの溜まり具合を知ることができる。ごみの溜まり具合を表示器１７の表示から知ることができるため、適切なタイミングでごみ捨てを行うことができる。
【００４２】
収容器９に袋１４を取り付けておけば、収容器９がごみで汚れることを防止できる。なお、家庭でごみを廃棄する場合は、指定されたごみ袋にごみを入れ、そのごみ袋を地域ごとに決められた集積所に持っていく必要がある。収容器９に袋１４を取り付けておけば、溜まったごみを袋１４ごと指定のごみ袋に入れて捨てることができる。収容器９に直接溜められたごみを指定のごみ袋に移し変える必要がなく、衛生的である。
【００４３】
取出口５ｄが側壁５ａ以外の側壁に形成されていれば、キッチンで調理する人に邪魔にならずに収容器９の出し入れを行うことができる。ごみ収容装置４の正面側の側壁に取出口５ｄを設けることができないような狭いキッチンにも、流し台１にごみ収容装置４を組み込むことができる。
【００４４】
本実施の形態のごみ収容装置４では、洗浄装置１８によって誘導部１０が洗浄される。このため、ごみ収容装置４の内部を衛生的に保つことができる。洗浄装置１８の給水管１９を水道管２３に接続すれば、装置を大型化することなく簡単な構成で洗浄用の水を確保できる。洗浄装置１８に洗剤タンク２０を備えることにより、洗浄能力を高めることができる。ごみの投入時に洗浄を行う構成であれば、例えば、一般的には廃棄前に洗浄が必要なプラスチック容器等のごみを、事前に手洗いすることなく投入口７に入れることができる。
【００４５】
本実施の形態のごみ収容装置４では、排気風路２６に脱臭フィルタ２４が設けられる。このため、ごみ収容装置４内の空気が排気口２５からそのまま排出されて臭いが部屋等に広がってしまうことを防止できる。
【００４６】
本実施の形態のごみ収容装置４は、送風機３０を備える。このため、ごみ収容装置４内の空気を強制的に排気口２５から排出することができる。ごみ収容装置４内に臭いが籠ってしまうことを防止できる。例えば、制御装置１６は、蓋８が閉まっていると判定すると、送風機３０を動作させてごみ収容装置４内の空気を循環させる。これにより、脱臭フィルタ２４を通過した空気を排気口２５から排出できる。蓋８は閉まっているため、投入口７から臭いが漏れることを防止できる。ごみ収容装置４の外に排出される空気の通り道を排気風路２６に限定でき、脱臭効果を高めることができる。
【００４７】
本実施の形態のごみ収容装置４では、乾燥装置２８によってごみが乾燥される。このため、収容器９内のごみの体積及び重量を低減できる。収容器９に多くのごみを溜めることができ、ごみを集積所に持っていく回数を減らすことができる。また、ごみの有無或いは多寡に応じて温風の吹き付けを制御することにより、消費電力を抑えることができる。例えば、制御装置１６は、重量センサ１５が検知した結果に基づいて収容器９にごみがない或いは一定量のごみが溜まっていないと判定すると、ヒータ２９を動作させない。これにより、乾燥が不要な時に無駄な加熱が行われることを防止できる。
【００４８】
温風の吹出口３１ａを噴付装置２１より下方に配置すれば、洗浄装置１８によって洗浄されたごみに温風を吹き付けることができる。例えば、制御装置１６は、ごみ投入センサ２２によってごみの投入が検知されると、噴付装置２１に水及び洗剤の噴き付けを行わせる。また、制御装置１６は、ごみ投入センサ２２によってごみの投入が検知されると、ダンパ３３を開いて、吹出口３１ａから温風を吹き出させる。廃棄前に洗浄が必要なプラスチック容器等のごみに対し、装置内で洗浄及び乾燥を行った上で収容器９に収容することができる。ごみを捨てる人は、乾燥したプラスチック容器等のごみを直ぐに集積所に持っていくことができる。
【００４９】
なお、制御装置１６は、ハードウェア資源として、例えば入出力インターフェース３５とプロセッサ３６とメモリ３７とを含む回路を備える。制御装置１６は、メモリ３７に記憶されたプログラムをプロセッサ３６によって実行することにより、上述した各機能を実現する。制御装置１６が有する各機能の一部又は全部をハードウェアによって実現しても良い。
【００５０】
図８は、収容器９の他の構成例を示す平面図である。図９は、図８のＥ−Ｅ断面を示す図である。図８及び図９に示す収容器９は、例えば容器本体３８、支持部３９及びバネ４０を備える。収容器９は取っ手１３に相当する取っ手を備えても良い。また、図８及び図９に示す収容器９では、容器本体３８に重量センサ１５が設けられる。
【００５１】
支持部３９は袋１４を支持する。図８は、収容器９が４本の支持部３９を備える例を示す。図８及び図９に示す収容器９であれば、一般的な持ち手を有するポリ袋を袋１４として利用できる。ポリ袋の持ち手を支持部３９に掛けることにより、ポリ袋を広げた状態で容器本体３８の内側に配置することができる。
【００５２】
図８及び図９に示す例では、重量センサ１５が容器本体３８の上面に設けられる。重量センサ１５と支持部３９との間にバネ４０が設けられる。重量センサ１５は、支持部３９より容器本体３８の中央に近い位置に配置される。支持部３９は、重量センサ１５に接近及び離隔するように移動する。
【００５３】
袋１４の中にごみが溜まると、支持部３９は、袋１４に引っ張られて重量センサ１５に接近する方向に力を受ける。重量センサ１５は、バネ４０から受ける力に基づいて、収容器９に収容されたごみの量を検知する。収容器９と重量センサ１５とを一体化することにより、ごみ収容装置４の構成を簡素化できる。図８及び図９に示す例であれば、ごみ収容装置４の小型化が可能となる。
【００５４】
実施の形態２．
図１０は、この発明の実施の形態２におけるごみ収容装置を備えた流し台を示す断面図である。図１０は、図１のＢ−Ｂ断面に相当する図である。
【００５５】
本実施の形態における収容器９は、側壁５ａより側壁５ｃに近い位置に配置される。投入口７の位置は、実施の形態１で開示した位置と同じである。即ち、投入口７は、調理する人の作業性を考慮し、側壁５ｃより側壁５ａに近い位置に形成される。このため、投入口７は、収容器９の真上に形成されていない。収容器９の構成自体は、実施の形態１で開示した何れかの構成と同じである。
【００５６】
本実施の形態におけるごみ収容装置４は誘導部１０を備える。誘導部１０は、投入口７から投入されたごみを収容器９に誘導する。誘導部１０は、誘導面によってごみを収容器９に誘導する。実施の形態１及び２に示す例では、誘導面は誘導部１０の内側の壁面である。上述したように、本実施の形態の投入口７は、収容器９の真上に形成されていない。このため、誘導部１０の誘導面は、図１０に示すように傾斜している。
【００５７】
誘導部１０の誘導面には、防汚加工を施すことが好ましい。例えば、誘導部１０の誘導面は、撥水加工部１０ａによって形成される。誘導面を撥水加工部１０ａによって形成することにより、食材から発生する汁等が誘導面にこびりついてしまうことを防止できる。また、ごみの滑りを良くし、ごみが誘導面の途中に堆積してしまうことを抑制できる。
【００５８】
本実施の形態のごみ収容装置４では、収容器９が側壁５ａより側壁５ｃに近い位置に配置される。このため、本実施の形態のごみ収容装置４には、投入口７の直下に他のものを設置するためのスペースがある。本実施の形態のごみ収容装置４は、投入口７の真下に収納部４１を備える。即ち、投入口７は、収納部４１の真上に形成されている。
【００５９】
収納部４１には、例えば、食器、食品或いは調理器具が収納される。頻繁に使用するものを収納部４１に収納しておくことにより、調理の作業性を向上させることができる。なお、収納部４１に替えて、実施の形態１で収容器９が設置されていた場所に食器洗い機等の家電製品を設置しても良い。
【００６０】
本実施の形態で具体的に開示した構成以外の構成については、実施の形態１で開示した何れかの構成と同じである。例えば、ごみ収容装置４は、乾燥装置２８を備えても良い。
【符号の説明】
【００６１】
１  流し台、  ２  シンク、  ２ａ  底面、  ３  蛇口、  ４  ごみ収容装置、  ５ａ  側壁、  ５ｂ  側壁、  ５ｃ  側壁、  ５ｄ  取出口、  ６  天板、  ７  投入口、  ８  蓋、  ９  収容器、  １０  誘導部、  １０ａ  撥水加工部、  １１  容器本体、  １２  支持部、  １３  取っ手、  １４  袋、  １５  重量センサ、  １６  制御装置、  １７  表示器、  １８  洗浄装置、  １９  給水管、  ２０  洗剤タンク、  ２１  噴付装置、  ２２  ごみ投入センサ、  ２３  水道管、  ２４  脱臭フィルタ、  ２５  排気口、  ２６  排気風路、  ２７  開閉センサ、  ２８  乾燥装置、  ２９  ヒータ、  ３０  送風機、  ３１  風路、  ３１ａ  吹出口、  ３２  風路、  ３２ａ  吹出口、  ３３  ダンパ、  ３４  ダンパ、  ３５  入出力インターフェース、  ３６  プロセッサ、  ３７  メモリ、  ３８  容器本体、  ３９  支持部、  ４０  バネ、  ４１  収納部
【図１】
2017081691.tif 000003
【図２】
2017081691.tif 000004
【図３】
2017081691.tif 000005
【図４】
2017081691.tif 000006
【図５】
2017081691.tif 000007
【図６】
2017081691.tif 000008
【図７】
2017081691.tif 000009
【図８】
2017081691.tif 000010
【図９】
2017081691.tif 000011
【図１０】
2017081691.tif 000012